(57)【要約】      （修正有）【課題】サンバイザーの回転上限の保持を確実にすると共に、走行中の条件の変化に応じて、必要な操作を簡単にする。【解決手段】シールド１上に、シールド１の回転中心とは異なる位置に回転可能に軸支されたサンバイザー２を備えている。サンバイザー２は、前面開放部Ｂ２の上方で前方へ庇状に突出する第一位置Ｐ１から、シールド１と外側に重なって対面する第二位置Ｐ２にわたる範囲で回転すると共に、第一位置Ｐ１で保持される。サンバイザー２に対しサンバイザー２がシールド１から前方に離間するように操作することによって、サンバイザー２を第一位置Ｐ１から第二位置Ｐ２へ回転させるようにしたヘルメット用シールドＡ。【選択図】図１
2015086495.tif 000002
【特許請求の範囲】
【請求項１】
ヘルメットの最外層を構成する帽体の左右側面に、該帽体の前面開放部を開閉する方向に回転可能に軸支されたシールドと、前記シールド上の左右側面に、該シールドの回転中心とは異なる位置に回転可能に軸支されたサンバイザーとを備えたヘルメット用シールドであって、
前記サンバイザーは、前記ヘルメットの着用者の視認性を妨げない透視性のある素材を用いて構成され、前記前面開放部の上方で前方へ庇状に突出する第一位置から、前記シールドと外側に重なって対面する第二位置にわたる範囲での回転を案内する回転案内部に支持され、
前記回転案内部は、前記サンバイザーの前記第一位置を保持する構造を備えると共に、前記第一位置で保持された前記サンバイザーを、前記シールドから前方に離間する方向に引き出すことによって、前記サンバイザーの第一位置での保持を解除して、該サンバイザーの前記第二位置への回転を可能な状態とする構造を備えていることを特徴とするヘルメット用シールド。
【請求項２】
前記回転案内部は、前記シールド側に設けられ、前記サンバイザーの回転中心となる軸を有する支軸、及び前記サンバイザーの回転動作を保持する保持部と、
前記サンバイザー側に設けられ、前記支軸に対して回転可能に係合すると共に、シールドの引き出し方向を長手方向とする長孔状に形成された回転支持孔、及び前記保持部に対して係合し、前記サンバイザーの回転軌道に沿う方向を長手方向とする長孔状に形成された保持孔とを備え、
前記回転支持孔は、前記サンバイザーの引き出しを前記回転支持孔の長手方向に沿って案内し、
前記保持部は、前記保持孔が係合し、前記サンバイザーの回転を案内する案内突起、及び前記サンバイザーを引き出す動作に対して前記シールド方向へ押し戻すと共に、前記案内突起に対する前記保持孔の係合状態を保持するように付勢力を与える付勢部を有し、
前記保持孔は、前記サンバイザーの前記第一位置で、前記付勢部の付勢力が作用した状態で前記案内突起に嵌合することで、前記サンバイザーの前記第一位置を保持する保持凹部を有し、
前記保持凹部は、嵌合状態での前記サンバイザーの前記第二位置への回転動作時に、前記案内突起に係止され、該係止状態で前記サンバイザーの前記第二位置への回転を阻止する段差を有し、前記サンバイザーを前記シールドから前方に離間する方向に引き出すことによって、前記案内突起に対する前記保持凹部の嵌合、及び前記段差に対する前記保持凹部の係止が解除されて、前記サンバイザーの前記第二位置への回転を可能な状態となるようにされていることを特徴とする請求項１記載のヘルメット用シールド。
【請求項３】
前記回転案内部は、更に、前記サンバイザーの前記第二位置で、前記付勢部の付勢力が作用した状態で前記案内突起、及び前記付勢部に嵌合する保持凹部を有し、該保持凹部が前記案内突起、及び前記付勢部に嵌合することで、前記サンバイザーの前記第二位置が保持され、
前記保持凹部は、嵌合状態での前記サンバイザーの前記第一位置への回転動作時に、前記案内突起に接触する段差を有し、
前記サンバイザーの前記第一位置への回転動作時に、前記段差が前記案内突起に接触すると共に、接触時に作用する前記付勢部の付勢力に抗して、前記案内突起を乗り越えて、前記案内突起に対する前記保持凹部の嵌合、及び前記案内突起に対する前記段差の接触が解除されて、前記サンバイザーの前記第一位置への回転を可能な状態となるようにされていることを特徴とする請求項２記載のヘルメット用シールド。
【発明の詳細な説明】
【技術分野】
【０００１】
本発明は、オートバイや自動車等の移動器具に乗車する運転者の頭部を保護するために着用するヘルメットのシールドに関する。
【背景技術】
【０００２】
オートバイや自動車に乗車する際に安全目的のために着用されるヘルメット用シールドは、ヘルメット着用者の顔面を保護するためのものであり、フルフェースヘルメットの前面開放部を横切って左右両側部に回動自在に支持され、回動することによって、前面開放部を開放・閉鎖するようにされている。
【０００３】
また、このようなヘルメット用シールドには、通常の透明のものの他に、着用者の視認性を妨げず、且つ防眩機能を有する着色透明のものもあるが、この着色透明のシールドは、着色濃度によって、夜間等の走行が不可とされているものがある。
【０００４】
下記、特許文献１に記載のものは、透明なシールドの外側に、着用者の視認性を妨げず、且つ防眩機能を有する着色透明なサンバイザー（遮蔽要素）を備えたものが知られている。
【０００５】
このシールドは、このサンバイザーがシールドと同軸で支持されると共に、シールドに対して独立及び同一体として回転可能に軸支され、サンバイザーがシールドに対して前方で重なるように対面する位置と、前面開放部の上方でシールドから離間した位置とにわたる範囲で回転するようになっている。
【先行技術文献】
【特許文献】
【０００６】
【特許文献１】特開２００６−２３３４号公報
【発明の概要】
【発明が解決しようとする課題】
【０００７】
特許文献１に記載のヘルメット用シールドによると、太陽光の位置や周辺の明るさ等の周辺状況に応じて、サンバイザーをシールドに対して前方で重なるように対面する位置に設定することで、太陽光に対する防眩機能を発揮し、サンバイザーを前面開放部の上方で第一シールドから離間した位置にすることで、夜間等における良好な視認性を発揮することができる。
【０００８】
しかしながら、特許文献１に記載の従来技術では、シールドとサンバイザーを前述のように同軸で回転させるための機構が複雑であると共に、部品点数も多いため、ヘルメットに対するシールドとサンバイザーの着脱作業が面倒であると共に、相当の時間を要するものであるばかりでなく、故障が発生する可能性が高いものであるという問題があった。
【０００９】
また、サンバイザーを回転上端位置で強く保持できなかったために、走行の風圧によって急にサンバイザーが下がってしまう問題などがあった。
【００１０】
本発明は、このような問題に対処することを課題の一例とするものである。すなわち、シールドに対するサンバイザーの独立した回転を簡易な機構で達成できること、これにより、部品点数の削減ができると共に、部品点数の多さによって生じる故障の発生を低減すること、ヘルメットに対するヘルメット用シールドの着脱作業を容易にでき、且つ着脱作業時間を短縮できること、サンバイザーの回転上限の保持を確実にすると共に、走行中の条件の変化に応じて、必要な操作を簡単にできること、等が本発明の目的である。
【課題を解決するための手段】
【００１１】
このような目的を達成するために、本発明によるヘルメット用シールドは、以下の構成を少なくとも具備するものである。
【００１２】
ヘルメットの最外層を構成する帽体の左右側面に、該帽体の前面開放部を開閉する方向に回転可能に軸支されたシールドと、前記シールド上の左右側面に、該シールドの回転中心とは異なる位置に回転可能に軸支されたサンバイザーとを備えたヘルメット用シールドであって、前記サンバイザーは、前記ヘルメットの着用者の視認性を妨げない透視性のある素材を用いて構成され、前記前面開放部の上方で前方へ庇状に突出する第一位置から、前記シールドと外側に重なって対面する第二位置にわたる範囲での回転を案内する回転案内部に支持され、前記回転案内部は、前記サンバイザーの前記第一位置を保持する構造を備えると共に、前記第一位置で保持された前記サンバイザーを、前記シールドから前方に離間する方向に引き出すことによって、前記サンバイザーの第一位置での保持を解除して、該サンバイザーの前記第二位置への回転を可能な状態とする構造を備えていることを特徴とするヘルメット用シールドである。
【図面の簡単な説明】
【００１３】
【図１】本発明の実施形態に係るヘルメット用シールドを実施したヘルメットの側面図であり、サンバイザーを第一位置に設定した状態を示す。
【図２】本発明の実施形態に係るヘルメット用シールドを実施したヘルメットの側面図であり、サンバイザーを第二位置に設定した状態を示す。
【図３】図１の要部拡大図である。
【図４】図３の（IV）-（IV）線断面図である。
【図５】図３の（V）-（V）線断面図である。
【図６】サンバイザーが第一位置に保持された状態を示す。
【図７】サンバイザーの第一位置での保持を解除した状態を示す動作図である。
【図８】サンバイザーを第二位置方向に回転させている状態を示す動作図である。
【図９】サンバイザーを第二位置に保持した状態を示す動作図である。
【図１０】図５に示す断面図で保持カバーの取付け動作を示す断面図である。
【発明を実施するための形態】
【００１４】
前記回転案内部は、前記シールド側に設けられ、前記サンバイザーの回転中心となる軸を有する支軸、及び前記サンバイザーの回転動作を保持する保持部と、前記サンバイザー側に設けられ、前記支軸に対して回転可能に係合すると共に、シールドの引き出し方向を長手方向とする長孔状に形成された回転支持孔、及び前記保持部に対して係合し、前記サンバイザーの回転軌道に沿う方向を長手方向とする長孔状に形成された保持孔とを備え、  前記回転支持孔は、前記サンバイザーの引き出しを前記回転支持孔の長手方向に沿って案内し、前記保持部は、前記保持孔が係合し、前記サンバイザーの回転を案内する案内突起、及び前記サンバイザーを引き出す動作に対して前記シールド方向へ押し戻すと共に、前記案内突起に対する前記保持孔の係合状態を保持するように付勢力を与える付勢部を有し、前記保持孔は、前記サンバイザーの前記第一位置で、前記付勢部の付勢力が作用した状態で前記案内突起に嵌合することで、前記サンバイザーの前記第一位置を保持する保持凹部を有し、前記保持凹部は、嵌合状態での前記サンバイザーの前記第二位置への回転動作時に、前記案内突起に係止され、該係止状態で前記サンバイザーの前記第二位置への回転を阻止する段差を有し、前記サンバイザーを前記シールドから前方に離間する方向に引き出すことによって、前記案内突起に対する前記保持凹部の嵌合、及び前記段差に対する前記保持凹部の係止が解除されて、前記サンバイザーの前記第二位置への回転を可能な状態となるようにされていることが好ましい。
【００１５】
また、前記回転案内部は、更に、前記サンバイザーの前記第二位置で、前記付勢部の付勢力が作用した状態で前記案内突起、及び前記付勢部に嵌合する保持凹部を有し、該保持凹部が前記案内突起、及び前記付勢部に嵌合することで、前記サンバイザーの前記第二位置が保持され、前記保持凹部は、嵌合状態での前記サンバイザーの前記第一位置への回転動作時に、前記案内突起に接触する段差を有し、前記サンバイザーの前記第一位置への回転動作時に、前記段差が前記案内突起に接触すると共に、接触時に作用する前記付勢部の付勢力に抗して、前記案内突起を乗り越えて、前記案内突起に対する前記保持凹部の嵌合、及び前記案内突起に対する前記段差の接触が解除されて、前記サンバイザーの前記第一位置への回転を可能な状態となるようにされていることが好ましい。
【００１６】
以下で説明する帽体とは、ヘルメットの最外層を構成するものであり、例えば、強化繊維材（ガラス繊維、カーボン繊維等）に、熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）を用いて、フルフェース形状又はオープンフェース形状に成型したものである。
【００１７】
以下で説明するヘルメットとは、フルフェース型ヘルメット及びオープンフェース型ヘルメットのいずれも含み、帽体の内側に発泡スチロール材、もしくは、この発泡スチロール材と同等の衝撃吸収性能を有する素材を用いて成型された衝撃吸収ライナー、この衝撃吸収ライナーの内側に配設されるウレタン材等でなる頭部パッド、帽体の頬部に対応する左右両側部の内側面に着脱自在に装着された頬パッド等が備えられている。
【００１８】
以下で説明する左右とは、ヘルメットの着用者の右頬、及び左頬に対面する方向である。また、以下で説明する前とは、ヘルメットの着用者の顔面側である。また、以下で説明する上とは、ヘルメットの頭頂部側であって、下とは、ヘルメットの顎部側である。
【００１９】
以下で説明するシールドとは、透明なポリカーボネート材、もしくは、このポリカーボネート材と同等な透過性及び強度を有する透明材を所定形状に形成したものである。
【００２０】
また、以下で説明するサンバイザーとは、十分な視界を確保する透過性を有すると共に、太陽光に対する防眩機能を発揮するように着色された着色透明のポリカーボネート材、もしくは、このポリカーボネート材と同等の透過性及び強度を有する着色透明材を所定形状に形成したものである。
【００２１】
以下、本発明に係る一実施形態のヘルメット用シールドＡを図１〜図５に基づいて説明すると、ここで例示するヘルメット用シールドＡが備えられたヘルメットＢは、フルフェース型のものである。
【００２２】
ヘルメット用シールドＡは、左右に同じ構成を有し、且つヘルメットＢの帽体Ｂ１の左右側部に対して、左右同じ構成によって支持されるものであるので、以下では、左側のみ図示して説明する。
【００２３】
尚、以下で、説明する各実施形態は、本発明を限定するものではない。
【００２４】
ヘルメット用シールドＡは、帽体Ｂ１の左右方向に沿う軸を有する軸支部Ｂ１０を回転中心として上下方向に回転自在に軸支され、この軸支部Ｂ１０を中心とする回転によって、前面開放部Ｂ２を閉塞及び開放するようにされている。
【００２５】
ヘルメット用シールドＡは、透明のシールド１と、このシールド１の外側に配置された着色透明のサンバイザー２とを有しており、シールド１が軸支部Ｂ１０によって軸支され、サンバイザー２がシールド１に対し、このシールド１の軸とは独立して上下方向（シールド１と同方向）に回転自在に軸支されている。
【００２６】
シールド１の取付け形態については、従来の構成とほぼ同様の構成であるため詳述はしないが、帽体Ｂ１の左右外側面に夫々固着されたベースプレートＢ３に、軸支部Ｂ１０が突設され、このベースプレートＢ３には、シールド１の回転範囲を制限する弾性係合部Ｂ２０が突設されている。更に、帽体Ｂ１の左右外側面には、ベースプレートＢ３を覆うようにシールド押えカバーＢ４が配置されている。
【００２７】
シールド１の端部側には、夫々、軸支部Ｂ１０に嵌合される取付け孔１０と、弾性係合部Ｂ２０に嵌合される案内長孔１１が形成されている。
【００２８】
案内長孔１１は、取付け孔１０と同心とする円弧状に形成されており、軸支部Ｂ１０を回転中心として回転するシールド１を案内すると共に、案内長孔１１の端部が弾性係合部Ｂ２０に接触することによって、シールド１の回転が制限される。
【００２９】
また、弾性係合部Ｂ２０は、案内長孔１１に対して、径方向への弾性変形が生じた状態で接触することによって、弾性変形から復帰する力が生じ、この復帰力によって、シールド１の回転に抵抗を与え、案内長孔１１の両端部に夫々形成されたストッパ部１１Ａ、１１Ｂに適合する嵌合によって、シールド１の全開状態及び全閉状態を保持するようにされている。
【００３０】
以下、シールド１に対するサンバイザー２の取付け構造を説明する。サンバイザー２は、上下幅をシールド１の上下幅のおよそ３分の２程度の幅とするものであり、シールド１に設けられた基板３を介して、シールド１に対して独立して上下方向（シールド１の回転方向と同じ方向）に回転可能に支持されている。
【００３１】
サンバイザー自体の大きさについては、規格上の制限を受ける販売形態、または販売国での仕様により、回転の上限位置（第一位置）で、夫々の規格の視野範囲を満足させる幅とする場合がある。
【００３２】
サンバイザー２の回転範囲は、サンバイザー２が前面開放部Ｂ２の上方で前方へ庇状に突出する第一位置（上限位置）Ｐ１と、サンバイザー２がシールド１の表面１２の外側で対面する第二位置（下限位置）Ｐ２にわたる範囲に規定されている。
【００３３】
すなわち、第一位置Ｐ１に位置するサンバイザー２は、ヘルメットＢの日除けとして機能し、第二位置Ｐ２に位置するサンバイザー２は、太陽光に対する防眩機能を発揮する。
【００３４】
サンバイザー２は、図６〜図９に示すように、サンバイザー２と基板３にわたって設けられた回転案内部４によって、サンバイザー２の回転案内、回転範囲の規定、第一位置Ｐ１における保持及び保持解除が行われるように支持されている。
【００３５】
基板３は、シールド押えカバーＢ４の上方側の前端から前面開放部Ｂ２の上端よりも上方に位置し、且つ前面開放部Ｂ２と重ならない大きさ及び形状として形成されている。
【００３６】
基板３は、保持カバー３００によって覆われている。この保持カバー３００は、図４及び図５に示すように、基板３とでサンバイザー２を挟むと共に、基板３との間でサンバイザー２を回転させるように基板３を覆うようにされている。
【００３７】
回転案内部４は、シールド１とサンバイザー２の間にあり、シールド１の表面に固着された基板３に突設された支軸３０及び保持部３１と、サンバイザー２に開孔された回転支持孔３２及び保持孔３３とを備えており、支軸３０に回転支持孔３２を係合させ、保持部３１に保持孔３３を係合させることで、サンバイザー２をシールド１に対して取付けることができる。
【００３８】
支軸３０は、帽体Ｂ１の左右方向に沿う軸を有しており、この支軸３０に回転支持孔３２が係合することによって、サンバイザー２が支軸３０を回転中心として、第一位置Ｐ１と第二位置Ｐ２とにわたって上下方向に回転するように軸支される。
【００３９】
保持部３１は、支軸３０の軸と平行に突設した案内突起３１Ａと、径方向へ弾性変形する円弧状のバネ部（付勢部）３１Ｂを有しており、この保持部３１に保持孔３３が係合することによって、バネ部３１Ｂが径方向に弾性変形する。
【００４０】
保持部３１に対する保持孔３３の係合時には、バネ部３１Ｂが径方向への弾性変形が生じた状態で保持孔３３に接触することによって、弾性変形から復帰する力（付勢力）が生じ、この復帰力によって、サンバイザー２の回転に抵抗を与えるようになっている。
【００４１】
回転支持孔３２は、前後方向に長い長孔に形成されており、この回転支持孔３２の長さの範囲でサンバイザー２を前後方向に動かすことができるようにされている。
【００４２】
保持孔３３は、支軸３０と同心とすると共に、サンバイザー２の回転軌跡に沿う円弧状の長孔に形成されており、支軸３０を回転中心として回転するサンバイザー２を案内すると共に、保持孔３３の端部が保持部３１に接触することによって、サンバイザー２の回転を制限するようにされている。
【００４３】
保持孔３３の下端側には、案内突起３１Ａが嵌合する保持凹部３３Ａが形成されており、保持凹部３３Ａに、案内突起３１Ａが嵌合することによって、サンバイザー２の第一位置Ｐ１が保持されるようになっている。
【００４４】
保持孔３３の上端側には、案内突起３１Ａが嵌合する保持凹部３３Ｂが形成されており、保持凹部３３Ｂに、案内突起３１Ａが嵌合することによって、サンバイザー２の第二位置Ｐ２が保持されるようになっている。
【００４５】
保持凹部３３Ａは、図６に示すように、保持孔３３の前縁３３０の下端側を前方側に切欠いてなるものであり、このように形成したことによって保持凹部３３Ａの上方側に形成された段差３３１を、この段差３３１と対面すると共に、段差３３１を係止するように形成された案内突起３１Ａの係止面３１０に接触させることで、サンバイザー２の第一位置Ｐ１から第二位置Ｐ２への回転を阻止するようにされている。
【００４６】
段差３３１は、前縁３３０とほぼ直角に交差する方向に形成されており、これによって、サンバイザー２に第二位置Ｐ２へ回転させる力を加えたときに、段差３３１の案内突起３１Ａの係止面３１０に対面する接触状態を確実に保持し、段差３３１が案内突起３１Ａを乗り越えないようにしている。
【００４７】
保持凹部３３Ａに案内突起３１Ａが嵌合した状態では、バネ部３１Ｂが保持凹部３３Ａと保持孔３３の幅方向で対面する後縁３３２に弾性変形した状態で接触すると共に、このバネ部３１Ｂの弾性変形から復帰する力が後縁３３２に作用し、この力によって、後縁３３２を後方に押すと共に、保持凹部３３Ａを案内突起３１Ａに押し付けることによって、案内突起３１Ａの保持凹部３３Ａへの嵌合状態を保持することができる。
【００４８】
案内突起３１Ａが保持凹部３３Ａに保持されたサンバイザー２の第一位置Ｐ１では、図６に示すように、バネ部３１Ｂの弾性変形から復帰する力によって、サンバイザー２が帽体Ｂ１側後ろ方向に押し付けられていると共に、支軸３０が回転支持孔３２の前端３２０に接触している。
【００４９】
また、第一位置Ｐ１でのサンバイザー２は、バネ部３１Ｂの弾性変形から復帰する力によって、帽体Ｂ１側後ろ方向に押し付けられているので、走行中でのサンバイザー２のガタツキを防止することができる。
【００５０】
サンバイザー２の第一位置Ｐ１での保持状態から、バネ部３１Ｂの弾性変形から復帰する力に抗してサンバイザー２を前方に引いてシールド１から離間させるという（図１の矢印１００で示す方向の動き）、サンバイザー２の下方への回転では、通常行われない操作をすることによって、図７に示すように、サンバイザー２が前方へスライドし、このスライドに伴って、保持凹部３３Ａが案内突起３１Ａから前方方向に離間すると共に、段差３３１が案内突起３１Ａの係止面３１０から外れて非保持状態となる。
【００５１】
すなわち、サンバイザー２を前方へスライドさせることで、段差３３１が案内突起３１Ａの係止面３１０に対し非保持状態となるため、このサンバイザー２の第一位置Ｐ１での保持状態が解除され、サンバイザー２の第二位置Ｐ２方向への回転が可能な状態にできる。
【００５２】
また、図８に示すように、サンバイザー２を前方へスライドさせた状態で第二位置Ｐ２へ向かって回転させる（図１の矢印２００で示す）ことで、保持孔３３の前縁３３０が案内突起３１Ａに接触し、この案内突起３１Ａに案内されながらサンバイザー２が回転する。
【００５３】
前縁３３０が案内突起３１Ａに接触する位置にあるとき、保持孔３３の後縁３３２にバネ部３１Ｂが弾性変形した状態で接触し、この弾性変形から復帰する力によって前縁３３０を案内突起３１Ａに押し付けることで、前縁３３０の案内突起３１Ａに対する接触に抵抗を与えることができるため、サンバイザー２の回転動作中のガタツキを防止することができる。
【００５４】
サンバイザー２が第二位置Ｐ２に至ると、図９に示すように、保持凹部３３Ｂが案内突起３１Ａに嵌合すると共に、後縁３３２にバネ部３１Ｂが弾性変形した状態で接触し、この弾性変形から復帰する力によって、保持凹部３３Ｂの案内突起３１Ａへの嵌合状態が保持される。
【００５５】
保持凹部３３Ｂは、保持凹部３３Ａと同様に、保持孔３３の前縁３３０の上端側を前方側に切欠いてなるものであり、保持凹部３３Ｂの下端側の段差３３３が、サンバイザー２を第二位置Ｐ２から第一位置Ｐ１へ回転させるときに、段差３３３と対面して接触するように形成された案内突起３１Ａの接触面３１１に接触するようにされている。
【００５６】
保持凹部３３Ｂは、その深さが保持凹部３３Ａよりも浅くされ、且つ保持凹部３３Ｂの下端側の段差３３３が斜面によって形成されている。
【００５７】
すなわち、サンバイザー２の第一位置Ｐ１に向かう回転時に、段差３３３が案内突起３１Ａの接触面３１１に接触するが、段差３３３が斜面によって形成されているので、接触時に作用するバネ部３１Ｂの弾性変形から復帰する力に抗して、段差３３３が案内突起３１Ａの接触面３１１に案内されながら、案内突起３１Ａを乗り越えることができる。
【００５８】
したがって、サンバイザー２の第一位置Ｐ１への回転時に、段差３３３が案内突起３１Ａに対して接触しても、サンバイザー２の回転に対する抗力を制してその回転を行うことができる。
【００５９】
段差３３３は、例示した斜面に限らず、前縁３３０とほぼ直角に交差する方向としても、案内突起３１Ａの接触面３１１の形状を斜面、又は段差３３３の長さよりも長い半径の円弧面とした形態としてもよい。
【００６０】
これによって、サンバイザー２の第一位置Ｐ１への回転時に、段差３３３が案内突起３１Ａに対して接触しても、案内突起３１Ａの接触面３１１に案内されながら、案内突起３１Ａを乗り越えさせることができるので、サンバイザー２の回転に対する抗力を制してその回転を行うことができる。
【００６１】
このような回転案内部４によって、サンバイザー２を第一位置Ｐ１で強く保持することができると共に、サンバイザー２を前方に引くという特別な操作をすると、サンバイザー２を第二位置Ｐ２に回転させることができる。
【００６２】
また、サンバイザー２を第二位置Ｐ２で保持することができると共に、サンバイザー２を上方へ回転させる操作だけでこの保持を解除して、第一位置Ｐ１に回転させることができ、第一位置Ｐ１に至ったサンバイザー２を第一位置Ｐ１で強く保持することができる。
【００６３】
基板３には、図３〜図５及び図１０に示すように、保持カバー３００に設けられた三カ所の嵌合孔３Ｄ、３Ｅ、３Ｆに嵌合する嵌合部３Ａ、３Ｂ、３Ｃが設けられており、この嵌合部３Ａ、３Ｂ、３Ｃが、嵌合孔３Ｄ、３Ｅ、３Ｆに嵌合することによって、保持カバー３００を基板３に対して取り付けることができるようになっている。
【００６４】
ここで、嵌合部３Ａ、３Ｂ、３Ｃ及び嵌合孔３Ｄ、３Ｅ、３Ｆの構成を説明すると、図３〜図５に示すように、嵌合部３Ａは支軸３０の先端に、嵌合部３Ｂは保持部３１の案内突起３１Ａの先端に、嵌合部３Ｃは基板３に突設された軸部３４の先端に、夫々一体に設けられた板状のものである。
【００６５】
嵌合部３Ａ、３Ｂ、３Ｃは、夫々、支軸３０、案内突起３１Ａ、軸部３４の外周から径方向に突出するように設けられている。
【００６６】
このような嵌合部３Ａが、嵌合孔３Ｄの下端縁に形成された段差部３０Ｄに、嵌合部３Ｂが、嵌合孔３Ｅの下端縁に形成された段差部３０Ｅに、嵌合部３Ｃが、嵌合孔３Ｆの下端縁に形成された段差部３０Ｆに、夫々保持カバー３００の厚み方向で重なるように係合することによって、基板３に対して保持カバー３００が取り付けられるようにされている。
【００６７】
嵌合孔３Ｄ、３Ｅ、３Ｆは、上下方向に長い長孔となるように形成されており、その上端と段差部３０Ｄ、３０Ｅ、３０Ｆの先端縁との間に、嵌合部３Ａ、３Ｂ、３Ｃを嵌合孔３Ｄ、３Ｅ、３Ｆ内に、保持カバー３００の厚み方向から嵌合可能なスペース３１Ｄ、３１Ｅ、３１Ｆが確保されている。
【００６８】
このような嵌合孔３Ｄ、３Ｅ、３Ｆが形成された保持カバー３００を基板３に取り付けるには、嵌合部３Ａ、３Ｂ、３Ｃに対してスペース３１Ｄ、３１Ｅ、３１Ｆが正対する状態で、保持カバー３００を基板３に対して対面させると共に、スペース３１Ｄ、３１Ｅ、３１Ｆが嵌合部３Ａ、３Ｂ、３Ｃに嵌合するように、基板３に向かって押し込む。
【００６９】
更に、スペース３１Ｄ、３１Ｅ、３１Ｆが嵌合部３Ａ、３Ｂ、３Ｃに嵌合された状態で、保持カバー３００を上方に移動させることによって、嵌合部３Ａ、３Ｂ、３Ｃを段差部３０Ｄ、３０Ｅ、３０Ｆに係合させることができる。
【００７０】
これによって、保持カバー３００を基板３に取付けることができる。
【００７１】
段差部３０Ｄ、３０Ｅ、３０Ｆと嵌合部３Ａ、３Ｂ、３Ｃとは、互いの係合状態を保持するために、嵌合部３Ａ、３Ｂ、３Ｃと段差部３０Ｄ、３０Ｅ、３０Ｆとが重なり合って係合したときに、弾性変形すると共に、弾性変形から復帰する力によって接触抵抗が生じるよう形成されている。
【００７２】
これによって、基板３に対する保持カバー３００の下方向へのずれを防いで、保持カバー３００の取付け状態を保持することができる。
【００７３】
また、嵌合部３Ａ、３Ｂ、３Ｃの厚みは、段差部３０Ｄ、３０Ｅ、３０Ｆに係合したときに、嵌合部３Ａ、３Ｂ、３Ｃの先端面が保持カバー３００の表面と同面となる厚みにされている。
【００７４】
これによって、ヘルメットＢの表面に突起のような突出する部位の発生を防ぐことができる。
【００７５】
また、嵌合部３Ａ、３Ｂ、３Ｃの幅は、嵌合孔３Ｄ、３Ｅ、３Ｄの幅に適合する幅にされており、これによって、基板３に対する保持カバー３００の前後方向のガタツキを生じさせることなく、基板３に対して取付けることができる。
【００７６】
保持カバー３００を取外すには、前述の取付け動作の逆の動作によって取外すことができる。
【００７７】
以上説明したヘルメット用シールドＡによると、シールド１に対するサンバイザー２の独立した回転を、特許文献１のものに比較して簡易な機構で達成でき、これによって、特許文献１のものに比較して、部品点数の削減ができると共に、部品点数が多いことによる故障の発生を低減することができる。
【００７８】
また、シールド１にサンバイザー２が取り付けられているため、シールド１を帽体Ｂ１に回転可能に軸支することで、ヘルメット用シールドＡを取付けることができるので、ヘルメットＢに対するヘルメット用シールドＡの着脱作業を容易にできると共に、着脱作業時間を短縮できる。
【００７９】
また、シールド１を共用する既存のヘルメットにも、改造等をすることなくサンバイザー機能を付加できる。
【００８０】
また、サンバイザー２がヘルメットＢの日除けとして使用される第一位置Ｐ１では、サンバイザー２を前方に引いてシールド１から離間させるという特別な操作をしないと、サンバイザー２を第二位置Ｐ２に回転させることができないように、回転案内部４が保持しているため、サンバイザー２に対して第二位置Ｐ２に回転させるような風圧等による力が加わっても、サンバイザー２を第一位置Ｐ１に保持することができる。
【００８１】
また、サンバイザー２が太陽光に対する防眩機能を発揮する第二位置Ｐ２では、サンバイザー２を上方に回転させるという通常の操作によって、サンバイザー２を第一位置Ｐ１に回転させることができる。
【００８２】
また、サンバイザー２が第一位置Ｐ１に至ると、回転案内部４によって、サンバイザー２を前方に引いてシールド１から離間させるという特別な操作をしないと、サンバイザー２を第二位置Ｐ２に回転させることができないように保持することができる。
【００８３】
また、サンバイザー２の第一位置Ｐ１での特別な操作が、サンバイザー２を前方に引いてシールド１から離間させるという簡単な操作であり、しかも、第二位置Ｐ２から第一位置Ｐ１へサンバイザー２を回転させる操作が、サンバイザー２を上方に回転させるという通常の操作のみで行うことができるので、第一位置Ｐ１と第二位置Ｐ２とにわたるサンバイザー２の回転操作を迅速、且つ確実に行うことができる。
【００８４】
したがって、サンバイザー２の第一位置（上限位置）Ｐ１での固定を確実にすると共に、走行中の条件の変化に応じて、サンバイザー２に対する必要な操作を簡単にできる。
【符号の説明】
【００８５】
Ａ：ヘルメット用シールド
Ｂ：ヘルメット
Ｂ１：帽体
Ｂ２：前面開放部
１：シールド
２：サンバイザー
４：回転案内部
Ｐ１：第一位置
Ｐ２：第二位置
３０：支軸
３１：保持部
３２：回転支持孔
３３：保持孔
３１Ａ：案内突起
３１Ｂ：バネ部（付勢部）
３３Ａ：保持凹部
３３Ｂ：保持凹部
３３１：段差
３３３：段差
【図１】
2015086495.tif 000003
【図２】
2015086495.tif 000004
【図３】
2015086495.tif 000005
【図４】
2015086495.tif 000006
【図５】
2015086495.tif 000007
【図６】
2015086495.tif 000008
【図７】
2015086495.tif 000009
【図８】
2015086495.tif 000010
【図９】
2015086495.tif 000011
【図１０】
2015086495.tif 000012